(57)【特許請求の範囲】
【請求項１】
水平方向に対向して互いに平行に配置された複数の桟材と、該桟材の上面間に亘って接合された表面材と、桟材の下面間に亘って接合された裏面材とを備えてなる外郭部材内に、発熱体及び断熱材を積層して充填してなる発熱床板において、
上記裏面材は、寸法変化の小さい繊維からなる芯材と、該芯材の表裏面にそれぞれ芯材の全体に亘るように積層された樹脂層と、該樹脂層を介して上記芯材に加熱接着された植物質繊維材料からなる薄シート層とで構成された５層構造のシート状のものとされていることを特徴とする発熱床板。
【請求項２】
請求項１の発熱床板において、
裏面材の芯材は、一方向に延びる繊維からなる上側繊維層と、該上側繊維層と直交する方向に延びる繊維からなる下側繊維層とが積層一体化されていることを特徴とする発熱床板。
【請求項３】
請求項１又は２の発熱床板において、
裏面材の芯材はガラス繊維、アラミド繊維、炭素繊維又はポリエチレンテレフタレート繊維のいずれかからなることを特徴とする発熱床板。
【請求項４】
請求項１〜３のいずれかの発熱床板において、
裏面材の樹脂層はポリプロピレン樹脂又はポリエチレンテレフタレート樹脂のいずれかからなることを特徴とする発熱床板。
【請求項５】
請求項１〜４のいずれかの発熱床板において、
裏面材の薄シート層はクラフト紙、不織布又は織布のいずれかからなることを特徴とする発熱床板。
【発明の詳細な説明】
【０００１】
【発明の属する技術分野】
本発明は、防水性及び防湿性に優れかつ汎用の接着剤による床下地パネルとの接着性が良好な発熱床板に関し、特にその裏面材に関する技術分野に属する。
【０００２】
【従来の技術】
従来より、この種の発熱床板として、例えば実開昭６２―５９９９１号公報に記載されているように、外殻部材内に発熱体及び断熱材を納めた構造のものが知られている。すなわち、この発熱床板は、木質材料からなる裏面材の対向する両側端部上間に亘り木質桟材を固着するともに、これら桟材の上面間に亘って木質表面材を固着して外殻部材を構成し、その木質桟材間の空間部に断熱材及び発熱体を積層充填して、その発熱体の上面を木質表面材に接触させた構造を有している。
【０００３】
しかし、この従来の発熱床板においては、その外郭部材の一部を構成する裏面材に、合板やパーティクルボード等の木質材料が用いられているので、次のような不具合があった。
【０００４】
（イ）  床下からの湿気等で裏面材が水分を吸って寸法変化し、その影響で床  表面にも反り等の変形が生じる。また、発熱床板内部にも水分が浸透するので、  発熱体を含む電気部品等の劣化を招き易い。
【０００５】
（ロ）  床下地パネルの上面に微小な凹凸や曲がりがあると、裏面材が床下地  パネルに密接し難くなり、両者間の接着不良が起きる。このため、そのような  箇所では床鳴りが起き易い。
【０００６】
これらの問題を解決するために、裏面材として金属や樹脂からなる可撓性のある薄板を用いる方法がある。しかし、それらの材料は例えば酢酸ビニル等の汎用接着剤との接着性が悪いので、実用的ではない。そして、接着不良を起こさないためには特殊な接着剤を要し、しかも接着作業に手間がかかるという問題がある。
【０００７】
そこで、本願出願人は、汎用の接着剤で従来の木質材料と同様の接着性を得られるようにするために、紙や布等に樹脂を含浸一体化させた樹脂含浸シートを裏面材に用いた発熱床板を提案している（特開平６―２６４６０４号公報参照）。
【０００８】
【発明が解決しようとする課題】
しかし、上記提案のものでも全く問題がないわけではなく、さらに改良の余地があった。すなわち、提案例の発熱床板における樹脂含浸シートは紙や布等を使用しているため、従来の裏面材に比べれば僅かであるものの、吸水や吸湿による寸法変化や発熱床板内部への水分の浸透が起こるのは避けられない。そのため、強い湿気のある場所に施工され、或いは長年の使用環境によっては、上記（イ）の問題が招来されることがある。そして、僅かな変形でも目立つ箇所では外観上問題視される。
【０００９】
本発明は斯かる点に鑑みてなされたもので、その目的は、上記裏面材の構造をさらに改良することにより、汎用の接着剤との接着性を損うことなく、発熱床板の水分による寸法変化や発熱床板内部への水分の浸透をさらに安定して確実に防止することにある。
【００１０】
【課題を解決するための手段】
上記の目的を達成するために、この発明では、発熱床板の裏面材として、水分や暖房程度の熱等による寸法変化の小さい繊維からなる芯材の両面にそれぞれ樹脂層を介して、植物質繊維材料からなる薄シート層を加熱接着した構造のラミネートシートを用いるようにした。
【００１１】
具体的には、請求項１の発明では、水平方向に対向して互いに平行に配置された複数の桟材と、該桟材の上面間に亘って接合された表面材と、桟材の下面間に亘って接合された裏面材とを備えてなる外郭部材内に、発熱体及び断熱材を積層して充填してなる発熱床板を前提とする。
【００１２】
そして、上記裏面材は、吸湿吸水や暖房の熱等による寸法変化の小さい繊維からなる芯材と、この芯材の表裏面にそれぞれ芯材の全体に亘るように積層された樹脂層と、この樹脂層を介して上記芯材に加熱接着された植物質繊維材料からなる薄シート層とで構成された５層構造のシート状のものとする。
【００１３】
上記の構成により、発熱床板の裏面材が、吸湿吸水等による寸法変化の小さい繊維からなる芯材と、この芯材の表裏面にそれぞれ芯材の全体に亘るように積層された樹脂層と、この樹脂層を介して芯材に加熱接着された植物質繊維材料からなる薄シート層とで構成された５層構造のシート状のものであるので、その表裏面の薄シート層が吸湿や吸水により寸法変化を起こそうとしても、それは芯材の繊維や樹脂層により抑制され、裏面材の水分に対する寸法安定性が向上する。しかも、芯材と薄シート層との間に樹脂層が隙間なく介在しているので、水分が裏面材を経て発熱床板内部へ浸透するのも阻止される。その結果、発熱床板が強い湿気の場所へ施工され、或いは長年の使用環境があっても、発熱床板の変形やその内部の電気部品の劣化等を安定してかつ確実に防止することができる。
【００１４】
また、裏面材表裏面の薄シート層が植物質繊維材料からなるので、酢酸ビニル等の汎用接着剤との馴染みがよく、桟材や床下地パネルとの接着に汎用の接着剤を作業性よく使用できる。しかもその接着性がよいので、床下地パネルとの接着不良やそれに伴う床鳴りを起こり難くすることができる。
【００１５】
請求項２の発明では、上記裏面材の芯材は、一方向に延びる繊維からなる上側繊維層と、該上側繊維層と直交する方向に延びる繊維からなる下側繊維層とが積層一体化されているものとする。これにより、どちらの方向への寸法変化も抑えることができる。
【００１６】
請求項３の発明では、上記裏面材の芯材はガラス繊維、アラミド繊維、炭素繊維又はポリエチレンテレフタレート繊維のいずれかからなるものとする。このような繊維は、湿気や暖房程度の熱による伸び縮み等の寸法変化が殆どなく、しかも樹脂層と複合されて強靭化するので、特に好ましい。
【００１７】
また、請求項４の発明では、裏面材の樹脂層はポリプロピレン樹脂又はポリエチレンテレフタレート樹脂のいずれかからなるものとする。これらの樹脂も、防水性が高い上に、湿気や熱に対しても安定しているので、好ましい。
【００１８】
さらに、請求項５の発明では、裏面材の薄シート層はクラフト紙、不織布又は織布のいずれかからなるものとする。これら木材繊維等の植物質繊維からなる紙状物や布状物からなる薄シート層は、樹脂層との複合接着化は勿論のこと、特に床下地パネルへの接着を良好かつ確実に行えるものである。
【００１９】
よって、これら請求項３〜５の発明では、裏面材の芯材、樹脂層又は薄シート層が容易に得られる。
【００２０】
【発明の実施の形態】
図２及び図３は本発明の実施形態に係る発熱床板Ａを示し、この発熱床板Ａは外郭部材１を有する。この外郭部材１は、発熱床板Ａの幅方向に水平に対向して長手方向に互いに平行に延びる１対の角棒形状の桟材２，２と、該両桟材２，２の上面間に亘って配置接合された一定幅を有する長尺の長方形板状の表面材３と、両桟材２，２の下面間に亘って配置接合された同様の形状の裏面材４とからなる。そして、この外郭部材１内には両桟材２，２間の空間に発熱体９及び断熱材１０がそれぞれ上下に積層されて充填されている。
【００２１】
上記発熱床板Ａを組み立てる場合、表面材３を裏返してその幅方向両側端部上面にそれぞれ桟材２，２を接着剤等によって固着し、これら両桟材２，２間における表面材３上面の空間部に発熱体９及び断熱材１０をそれぞれ順次積層状態に配設し、さらにその上に裏面材４を重ね合わせて、該裏面材４の両側端部下面を両桟材２，２の上面に接着剤等によって一体に固着する。
【００２２】
上記各桟材２は合板、パーティクルボード、ＭＤＦ、ソリッド材等の木質材、或いは金属板から形成されている。
【００２３】
また、断熱材１０はインシュレーションボード、グラスウール、ロックウール、発泡ウレタン、発泡フェノール等の板状物の単体、又はそれらの２種以上の複合体からなり、必要に応じて合板やネット状物によって補強されたものが使用される。尚、この断熱材１０は裏面材４上に接着しておいてもよいが、伸縮による内部応力を発生させないように単に載置状態にしておくことが好ましい。
【００２４】
また、発熱体９としては、面状発熱体、線状ヒータ、カーボン系ヒータを用いることができ、この発熱体９上に、表面材３と接するように適宜の金属板等の均熱板や漏電防止用樹脂板を一体的に重ね合わせてもよい。また、発熱体９にはサーモスタットやセンサー、配線コード等が備えられていて、これらが電気部品を構成している。尚、断熱材１０と発熱体９とは接着されていなくてもよい。
【００２５】
さらに、表面材３は、木材単板や木質単板に不飽和ポリエステル、アクリル、スチレン、フェノール等の合成樹脂液を注入固化してなる合成樹脂注入木材単板、或いは合板、ＷＰＣ化粧合板、金属板から形成され、木材単板や合成樹脂注入木材単板の場合には、その裏面に適宜厚さを有する合板やＭＤＦ、パーティクルボード等の単体又は複合体からなる木質基材を貼り合わせて厚さ２〜１５ｍｍの表面板に形成している。尚、この表面材３の下面に上記した均熱板を介して発熱体９を一体的に接着しておいてもよい。
【００２６】
本発明の特徴は上記裏面材４の構造にある。すなわち、裏面材４は、図１に拡大詳示するように、疎水性等を有していて寸法変化の小さい繊維からなる芯材５と、この芯材５の表裏面にそれぞれ芯材５の全体に亘る樹脂層６，６を介して加熱接着された植物質繊維材料からなる薄シート層７，７とで構成された５層構造のラミネートシートとされている。
【００２７】
上記芯材５は、引張りや圧縮等の物理的な力、及び暖房程度の熱に対する寸法安定性が大きく、また疎水性等により水分に対しても寸法安定性の大きい繊維からなる。この繊維としては、例えばガラス繊維、アラミド繊維、炭素繊維、ポリエチレンテレフタレート繊維が好ましい。また、この芯材５は、一方向（例えば発熱床板Ａの長手方向）に延びる繊維からなる上側繊維層５ａと、該上側繊維層５ａと直交する方向（同幅方向）に延びる繊維からなる下側繊維層５ｂとが積層一体化されてなる。芯材５の繊維の繊維径は５〜３０μｍのものが好ましく、目付量は１００〜２５０ｇ／ｍ2 がよい。
【００２８】
また、上記樹脂層６を構成する樹脂は、例えばポリプロピレン樹脂又はポリエチレンテレフタレート樹脂が好ましく、裏面材４の全体に隙間なく介在されている。その塗布量は５０〜１５０ｇ／ｍ2 が好ましい。
【００２９】
さらに、上記薄シート層７は、例えばクラフト紙、不織布、織布が用いられ、その目付量は２５〜１５０ｇ／ｍ2 が好ましい。
【００３０】
裏面材４の厚さは０．２〜２ｍｍの範囲内に設定されている。この裏面材４の厚さが２ｍｍ以上になると、発熱床板Ａ全体が曲がり難くなって床下地材に生じている段差や不陸に対応し難くなるので好ましくない。この裏面材４の厚さは、芯材５の繊維の目付量、各樹脂層６の塗布量及び各薄シート層７の目付量の調整によって設定される。
【００３１】
このように構成された発熱床板Ａは合板、パーティクルボード、ＭＤＦ等の床下地パネルＢ上に、発熱床板Ａの裏面材４を酢酸ビニル系やエポキシ系等の通常の接着剤により接着することで施工される。このとき、裏面材４は厚さ０．２〜２ｍｍの薄いラミネートシートからなるので、発熱床板Ａ全体の厚さが薄くなって床下地パネルＢに段差や微小な凹凸面等が生じていても良好に密接する。
【００３２】
また、上記発熱床板Ａの裏面材４は、寸法変化の小さい繊維からなる芯材５と、この芯材５の表裏面にそれぞれ芯材５の全体に亘る樹脂層６，６を介して加熱接着された植物質繊維材料からなる薄シート層７，７とで構成された５層のラミネートシートであるので、その表面の薄シート層７が吸湿や吸水により寸法変化を起こそうとした場合でも、それは芯材５の繊維や樹脂層６により抑制され、裏面材４の水分に対する寸法安定性が向上する。このため、発熱床板Ａが強い湿気の場所へ施工され、或いは長年の使用環境があっても発熱床板Ａの変形を安定して確実に防止することができる。
【００３３】
因みに、本発明者等が具体的に、従来の樹脂含浸シートで構成された裏面材（従来例）と、本実施形態のラミネートシート（芯材の繊維はガラス繊維、樹脂層はポリプロピレン樹脂、薄シート層はクラフト紙）で構成された裏面材（本発明例）との各寸法変化率を同じ条件で測定したところ、従来例の寸法変化率が約０．６％であったのに対し、本発明例の寸法変化率は約０．１％となり、本発明例の裏面材の水分等に対する寸法安定性が大幅に向上しているのが判明した。
【００３４】
しかも、上記裏面材４における芯材５と薄シート層７との間に樹脂層６が隙間なく介在しているので、この樹脂層６が湿気に対するバリヤー層となり、水分が裏面材４を経て発熱床板Ａ内部へ浸透しようとするのが阻止される。このため、発熱床板Ａ内の電気部品の劣化等を安定して防止して、その耐久性を向上させることができる。
【００３５】
また、裏面材４表面の薄シート層７は植物質繊維材料からなるので、このシート層７と桟材２，２との接着や発熱床板Ａと床下地パネルＢとの接着にそれぞれ酢酸ビニル等の汎用の接着剤を使用できる。しかもその接着性がよいので、発熱床板Ａと床下地パネルＢとの接着不良やそれに伴う床鳴りを起こり難くすることができる。
【００３６】
【発明の効果】
以上説明したように、請求項１又は２の発明によると、発熱床板の外郭部材の一部をなす裏面材を、寸法変化の小さい繊維からなる芯材と、その両面のそれぞれに芯材の全体に亘るように積層された樹脂層と、この樹脂層を介して芯材に加熱接着された植物質繊維の薄シート層とで構成された５層構造のラミネートシートとしたことにより、植物質繊維シート層の吸湿や吸水による寸法変化を芯材の繊維や樹脂層により抑制して、裏面材の水分による寸法変化に起因する発熱床板表面の変形を生じ難くするとともに、水分の裏面材を経た発熱床板内部への浸透を阻止でき、よって発熱床板の変形やその内部の電気部品の劣化等を安定して確実に防止することができる。また、裏面材表面の植物質繊維材料からなる薄シート層を発熱床板の桟材や床下地パネルと接着するために汎用接着剤を使用し、かつその接着性を高めることができ、床下地パネルとの接着不良やそれに伴う床鳴りを有効に防止することができる。
【００３７】
請求項３の発明によると、上記裏面材の芯材はガラス繊維、アラミド繊維、炭素繊維又はポリエチレンテレフタレート繊維のいずれかとしたことにより、より強靭で湿気や熱に強い裏面材を形成することができる。
【００３８】
また、請求項４の発明によると、裏面材の樹脂層はポリプロピレン樹脂又はポリエチレンテレフタレート樹脂のいずれかとしたことにより、防湿効果が高く、湿気や熱に対してより安定した裏面材を形成することができる。
【００３９】
さらに、請求項５の発明によると、裏面材の薄シート層はクラフト紙、不織布又は織布のいずれかとしたことにより、床下地パネルとの接着をさらに良好にすることができる。
【図面の簡単な説明】
【図１】  本発明の実施形態に係る発熱床板の裏面材の拡大断面図である。
【図２】  発熱床板の断面図である。
【図３】  発熱床板の分解斜視図である。
【符号の説明】
Ａ  発熱床板
１  外郭部材
２  桟材
３  表面材
４  裏面材
５  芯材
５ａ  上側繊維層
５ｂ  下側繊維層
６  樹脂層
７  薄シート層
９  発熱体
１０  断熱材
【図１】
0004012605.tif 000002
【図２】
0004012605.tif 000003
【図３】
0004012605.tif 000004